(57)【要約】      （修正有）【課題】エネルギーの統合モニタリング装置及び方法を提供する。【解決手段】統合モニタリング装置は、一つ以上のエネルギー設備からモニタリング要素要請信号に対応するモニタリング情報を受信する収集モジュール５００と、受信したモニタリング情報を予め設定された基準に従って標準化する標準化モジュール５１０と、標準化されたモニタリング情報を予め設定されたフォーマットに従って統合する統合モジュール５２０と、統合されたモニタリング情報を受信してモニタリングする管理モジュール５３０と、を備える。【選択図】図５
2018196321.tif 000002
【特許請求の範囲】
【請求項１】
一つ以上のエネルギー設備からモニタリング要素要請信号に対応するモニタリング情報を受信する収集モジュールと、
前記受信したモニタリング情報を予め設定された基準に従って標準化する標準化モジュールと、
前記標準化されたモニタリング情報を予め設定されたフォーマットに従って統合する統合モジュールと、
前記統合されたモニタリング情報を受信してモニタリングする管理モジュールと、を備えることを特徴とする統合モニタリング装置。
【請求項２】
前記エネルギー設備は、新再生エネルギーに関連する設備であり、
前記新再生エネルギーは、太陽光、太陽熱、地熱、及び風力のうちの少なくとも一つを含むことを特徴とする請求項１に記載の統合モニタリング装置。
【請求項３】
前記標準化モジュールは、前記受信したモニタリング情報が予め設定された基準を超過した場合、予め受信したモニタリング情報を優先順位で標準化することを特徴とする請求項２に記載の統合モニタリング装置。
【請求項４】
前記統合モジュールは、前記優先順位で標準化されたモニタリング情報を優先順位で統合して前記管理モジュールに伝送することを特徴とする請求項３に記載の統合モニタリング装置。
【請求項５】
前記管理モジュールは、前記モニタリング要素要請信号を前記収集モジュールに伝送することを特徴とする請求項４に記載の統合モニタリング装置。
【請求項６】
前記予め設定された基準に従う標準化は、前記受信したモニタリング情報を共通モニタリング要素情報と特定モニタリング要素情報とにクラスタリングすることを特徴とする請求項５に記載の統合モニタリング装置。
【請求項７】
前記予め設定されたフォーマットは、少なくとも一つ以上のフィールド値情報を含み、
前記フィールド値情報は、個別エネルギー源の種類に応じた第１基準、前記共通モニタリング要素情報に対応する第２基準、及び前記特定モニタリング要素情報に対応する第３基準で分離されることを特徴とする請求項６に記載の統合モニタリング装置。
【請求項８】
前記収集モジュールは、ＯＰＣ  ＵＡ（ＯＬＥ  ｆｏｒ  Ｐｒｏｃｅｓｓｉｎｇ  Ｃｏｎｔｒｏｌ−Ｕｎｉｆｉｅｄ  Ａｒｃｈｉｔｅｃｔｕｒｅ）基盤であることを特徴とする請求項７に記載の統合モニタリング装置。
【請求項９】
前記新再生エネルギーが太陽光である場合、前記モニタリング要素要請信号は、設置容量に関する情報、現在生産量に関する情報、累積生産量に関する情報、及び電力出力情報のうちの少なくとも一つを含み、
前記新再生エネルギーが太陽熱である場合、前記モニタリング要素要請信号は、設置容量に関する情報、現在生産量に関する情報、累積生産量に関する情報、出水温度情報、及び熱量情報のうちの少なくとも一つを含むことを特徴とする請求項８に記載の統合モニタリング装置。
【請求項１０】
管理モジュールがモニタリング要素要請信号を収集モジュールに伝送するステップと、
収集モジュールが前記モニタリング要素要請信号に対応して一つ以上のエネルギー設備からモニタリング情報を受信するステップと、
標準化モジュールが前記受信したモニタリング情報を予め設定された基準に従って標準化するステップと、
統合モジュールが前記標準化されたモニタリング情報を予め設定されたフォーマットに従って統合するステップと、
前記管理モジュールが前記統合されたモニタリング情報を受信してモニタリングするステップと、を有することを特徴とする統合モニタリング方法。
【請求項１１】
前記エネルギー設備は，新再生エネルギーに関連する設備であり、
前記新再生エネルギーは、太陽光、太陽熱、地熱、及び風力のうちの少なくとも一つを含むことを特徴とする請求項１０に記載の統合モニタリング方法。
【請求項１２】
前記標準化モジュールは、前記受信したモニタリング情報が予め設定された基準を超過した場合、予め受信したモニタリング情報を優先順位で標準化することを特徴とする請求項１１に記載の統合モニタリング方法。
【請求項１３】
前記統合モジュールは、前記優先順位で標準化されたモニタリング情報を優先順位で統合して前記管理モジュールに伝送することを特徴とする請求項１２に記載の統合モニタリング方法。
【請求項１４】
前記管理モジュールは、前記モニタリング要素要請信号を前記収集モジュールに伝送することを特徴とする請求項１３に記載の統合モニタリング方法。
【請求項１５】
前記予め設定された基準に従う標準化は、前記受信したモニタリング情報を共通モニタリング要素情報と特定モニタリング要素情報とにクラスタリングすることを特徴とする請求項１４に記載の統合モニタリング方法。
【請求項１６】
前記予め設定されたフォーマットは、少なくとも一つ以上のフィールド値情報を含み、
前記フィールド値情報は、個別エネルギー源の種類に応じた第１基準、前記共通モニタリング要素情報に対応する第２基準、及び前記特定モニタリング要素情報に対応する第３基準で分離されることを特徴とする請求項１５に記載の統合モニタリング方法。
【請求項１７】
前記収集モジュールは、ＯＰＣ  ＵＡ（ＯＬＥ  ｆｏｒ  Ｐｒｏｃｅｓｓｉｎｇ  Ｃｏｎｔｒｏｌ−Ｕｎｉｆｉｅｄ  Ａｒｃｈｉｔｅｃｔｕｒｅ）基盤であることを特徴とする請求項１６に記載の統合モニタリング方法。
【請求項１８】
前記新再生エネルギーが太陽光である場合、前記モニタリング要素要請信号は、設置容量に関する情報、現在生産量に関する情報、累積生産量に関する情報、及び電力出力情報のうちの少なくとも一つを含み、
前記新再生エネルギーが太陽熱である場合、前記モニタリング要素要請信号は、設置容量に関する情報、現在生産量に関する情報、累積生産量に関する情報、出水温度情報、及び熱量情報のうちの少なくとも一つを含むことを特徴とする請求項１７に記載の統合モニタリング方法。
【請求項１９】
一つ以上のエネルギー設備からモニタリング要素要請信号に対応するモニタリング情報を受信し、前記受信したモニタリング情報を予め設定された基準に従って標準化し、前記標準化されたモニタリング情報を予め設定されたフォーマットに従って統合し、前記統合されたモニタリング情報を受信して統合的にモニタリングする方法を統合モニタリング装置に実行させるための統合モニタリングプログラムを記録したコンピュータ読み取り可能な記録媒体。
【発明の詳細な説明】
【技術分野】
【０００１】
本発明は、エネルギーを統合的にモニタリングするための統合モニタリング装置及び方法、並びに統合モニタリングプログラムを記録したコンピュータ読み取り可能な記録媒体に関する。
【背景技術】
【０００２】
従来のエネルギーモニタリング技術の場合、個別エネルギー源（太陽熱、風力、地熱など）の設備をそれぞれモニタリングするか、或いはエネルギーを生産する個別会社の設備をそれぞれモニタリングする技術のみが存在していた。このように個別モニタリングによるデータ収集装置又は通信プロトコールが相違するため、統合的にモニタリングすることに難しさがあった。
【０００３】
また、個別モニタリング方式の場合、個別エネルギー源毎に又はエネルギーを生産する個別会社毎にそれぞれのモニタリングソフトウェアの形式及びメニューが要請されるため、相当な初期構築費用がかかる問題点がある。また、個別モニタリングによるメンテナンス費用が持続的に増加する問題点がある。
【先行技術文献】
【特許文献】
【０００４】
【特許文献１】特表２０１３−５３３４４９号公報
【発明の概要】
【発明が解決しようとする課題】
【０００５】
本発明は、上記従来の問題点に鑑みてなされたものであって、本発明の目的は、エネルギーの統合モニタリング装置及び方法、並びに統合モニタリングプログラムを記録したコンピュータ読み取り可能な記録媒体を提供することにある。
【課題を解決するための手段】
【０００６】
上記目的を達成するためになされた本発明の一態様による統合モニタリング装置は、一つ以上のエネルギー設備からモニタリング要素要請信号に対応するモニタリング情報を受信する収集モジュールと、前記受信したモニタリング情報を予め設定された基準に従って標準化する標準化モジュールと、前記標準化されたモニタリング情報を予め設定されたフォーマットに従って統合する統合モジュールと、前記統合されたモニタリング情報を受信してモニタリングする管理モジュールと、を備える。
【０００７】
上記目的を達成するためになされた本発明の一態様による統合モニタリング方法は、管理モジュールがモニタリング要素要請信号を収集モジュールに伝送するステップと、収集モジュールが前記モニタリング要素要請信号に対応して一つ以上のエネルギー設備からモニタリング情報を受信するステップと、標準化モジュールが前記受信したモニタリング情報を予め設定された基準に従って標準化するステップと、統合モジュールが前記標準化されたモニタリング情報を予め設定されたフォーマットに従って統合するステップと、前記管理モジュールが前記統合されたモニタリング情報を受信してモニタリングするステップと、を有する。
【０００８】
上記目的を達成するためになされた本発明の一態様による統合モニタリングプログラムを記録したコンピュータ読み取り可能な記録媒体は、一つ以上のエネルギー設備からモニタリング要素要請信号に対応するモニタリング情報を受信し、前記受信したモニタリング情報を予め設定された基準に従って標準化し、前記標準化されたモニタリング情報を予め設定されたフォーマットに従って統合し、前記統合されたモニタリング情報を受信して統合的にモニタリングする方法を統合モニタリング装置に実行させるプログラムを記録する。
【発明の効果】
【０００９】
本発明によれば、初期構築費用を節減することができ、メンテナンス費用を節減することができる。また、統合的にモニタリングすることで、欠陥が発生した場合に迅速に対応することができる。
【図面の簡単な説明】
【００１０】
【図１】一実施形態によるエネルギー統合モニタリングシステムを説明するための図である。
【図２】個別エネルギー源と予め構築されたサーバとの間の連結の一実施例を説明するための図である。
【図３】個別エネルギー源を統合的にモニタリングするための統合フォーマットの一実施例を説明するための図である。
【図４】結合発生時におけるエネルギー統合モニタリングシステムの動作の一実施例を説明するための図である。
【図５】一実施形態によるエネルギー統合モニタリング装置を説明するための図である。
【図６】一実施形態によるエネルギー統合モニタリング方法を説明するための図である。
【図７】制御モジュールの第１動作を説明するための図である。
【図８】制御モジュールの第２動作を説明するための図である。
【発明を実施するための形態】
【００１１】
以下、本発明を実施するための形態の具体例を、図面を参照しながら詳細に説明する。本発明を説明するに当たって、関連する公知の構成又は機能に関する具体的な説明が本発明の要旨を不明確にする虞があると判断される場合、その詳細な説明を省略する。
【００１２】
図１は、一実施形態によるエネルギー統合モニタリングシステムを説明するための図である。
【００１３】
図１を参照すると、エネルギー統合モニタリングシステムは、サーバ部１２０（ＯＰＣ−ＵＡサーバ）、及び応用プラグラム部１３０（応用プログラム）を含む。また、エネルギー統合モニタリングシステムは、クライアント部１１０（ＯＰＣ−ＵＡクライアント／Ｕ−ＲＴＵ）及び設備部１００（新再生エネルギー源の設備）を更に含む。
【００１４】
設備部１００は、個別エネルギー源に対応する設備を含む。上述した個別エネルギー源は、太陽光、太陽熱、地熱、風力、水力、海水熱などを含む。また、設備部１００は、個別エネルギー源に対応する設備をエネルギー源別にクラスタリングする。
【００１５】
設備部１００は、エネルギーを生産する個別会社の設備を含む。また、設備部１００は、個別会社が保有するエネルギー設備を個別会社別にクラスタリングして含む。例えば、設備部１００は、Ａ社の設備（太陽熱、地熱）、又はＢ社の設備（風力、太陽熱）をクラスタリングして含む。
【００１６】
設備部１００は、予め設定された通信プロトコールを使用してクライアント部１１０と通信する。予め設定されたプロトコールは、ＲＳ−４８５、ＲＳ−４２２、ＲＳ−２３２Ｃ、又はＴＣＰ−Ｍｏｄｂｕｓを含む。詳しくは、設備部１００は、クライアント部１１０のモニタリング要素要請信号に対応して、クライアント部１１０にエネルギー関連情報又はエネルギー設備に関する情報を送信する。
【００１７】
クライアント部１１０は、シリアル変換器及び通信プログラムを含む。また、クライアント部１１０は、通信プログラムを介して通信網（有無線通信、ＬｏＲａ、ＬＴＥなど）にアクセスする。また、クライアント部１１０が通信網にアクセスした後、クライアント部１１０は、設備部１１０から受信したエネルギー関連情報又はエネルギー設備に関する情報をサーバ１２０に伝送する。エネルギー関連情報又はエネルギー設備に関する情報は、図２〜図５で後述する。
【００１８】
クライアント部１１０は一つ以上の個別クライアントモジュールを含む。一つ以上の個別クライアントモジュールは、設備部１００に含まれる個別エネルギー源に対応する設備、又はエネルギーを生産する個別会社の設備にそれぞれ連結される。詳しくは、クライアントモジュールは、Ｕ−ＲＴＵ（Ｕｎｉｆｉｅｄ  Ｒｅｍｏｔｅ  Ｔｅｒｍｉｎａｌ  Ｕｎｉｔ）又はＯＰＣ  ＵＡクライアントである。また、一つ以上の個別クライアントモジュールは、後述するサーバ部１２０に連結される。サーバ部１２０は、詳しくはＯＰＣ  ＵＡ基板のサーバである。
【００１９】
ＯＰＣ  ＵＡ（ＯＬＥ  ｆｏｒ  Ｐｒｏｃｅｓｓｉｎｇ  Ｃｏｎｔｒｏｌ−Ｕｎｉｆｉｅｄ  Ａｒｃｈｉｔｅｃｔｕｒｅ）は、ＯＰＣ  Ｆｏｕｎｄａｔｉｏｎから発表されたコンポーネント基盤の産業自動化連携方式の標準であって、従来使用されていたＯＰＣがＭｉｃｒｏｓｏｆｔ  Ｗｉｎｄｏｗｓ（登録商標）フラットフォームにのみ適用可能であった限界を補完し、多様なフラットフォームで動作可能であり、また異機種間で連携可能に設計されている。既に産業用システム間の一般的な連携のためのＩＥＣ標準（ＩＥＣ  ６２５４１）として採択されている。
【００２０】
サーバ部１２０は、アクセスサーバ、ＤＢサーバ（ｄａｔａｂａｓｅ）、モニタリングサーバ、及び収集サーバを含む。ＤＢサーバ、モニタリングサーバ、及び収集サーバは、それぞれハードウェアプロセッサによって具現されるか、又は一つの統合プロセッサで具現される。また、サーバ部１２０は一つ以上の個別サーバを含む。一つ以上の個別サーバは、それぞれ個別機能を含む。
【００２１】
アクセスサーバは、通信網に連結されたクライアント部１１０内に含まれる通信プログラムと通信する。また、アクセスサーバは、ロードバランシング機能を実行し、受信したデータの伝送速度又は伝送量を制御する。詳しくは、アクセスサーバはロードバランシングを介してそれぞれのサーバ（ＤＢサーバ、モニタリングサーバ、及び収集サーバ）に伝送されるデータを制御する。
【００２２】
ＤＢサーバは、エネルギー関連情報又はエネルギー設備に関する情報を暗号化して貯蔵する。また、ＤＢサーバは受信したエネルギー関連情報又はエネルギー設備に関する情報（以下、モニタリング要素情報）をバックアップする。収集サーバは、モニタリング要素情報を検証するか又は加工する。モニタリングサーバは、応用プログラム部１３０に連結される。また、モニタリングサーバは、応用プログラム部１３０にモニタリング要素情報をリアルタイム又は予め設定された時間間隔毎に伝送する。
【００２３】
応用プログラム部１３０は、統合モニタリングプログラムを含む。また、応用プログラム部１３０は、管理者登録プログラム及び外部ステータスボードを更に含む。統合モニタリングプログラムは、モニタリング要素情報をリアルタイムにモニタリングする。管理者登録プログラムは、予め指定された管理者のみが登録できるように認証手順を実行する。外部ステータスボードは、統合モニタリングプログラムからモニタリング要素情報を受信して表示する。
【００２４】
図２は、個別エネルギー源と予め構築されたサーバとの間の連結の一実施例を説明するための図である。
【００２５】
図２を参照すると、個別エネルギー源が太陽光２００である場合、太陽光設備は、インバータ、温度及び湿度センサ、並びに日射量センサを含む。図１において、クライアント部１１０（図２のＵ−ＲＴＵ（ＯＰＣ  ＵＡクライアント））は、インバータ、温度及び湿度センサ、並びに日射量センサからデータを受信する。また、クライアント部１１０は、インバータに太陽光設備に関する制御情報を伝送する。また、図１において、サーバ部１２０（図２のＯＰＣ−ＵＡサーバ）は、クライアント部１１０に太陽光設備に関する制御情報を伝送する。クライアント部１１０は、サーバ部１２０に発電量情報、温度情報、及び日射量情報を伝送する。
【００２６】
個別エネルギー源が太陽熱２１０である場合、太陽熱設備は、太陽熱制御器、熱量計、及び電力量計を含む。図１において、クライアント部１１０（図２のＵ−ＲＴＵ（ＯＰＣ  ＵＡクライアント））は、太陽熱制御器、熱量計、及び電力量計からデータを受信する。また、クライアント部１１０は、太陽熱制御器に太陽熱設備に関する制御情報を伝送する。また、図１において、サーバ部１２０（図２のＯＰＣ−ＵＡサーバ）は、クライアント部１１０に太陽熱設備に関する制御情報を伝送する。クライアント部１１０は、サーバ部１２０に温度情報、熱量情報、及び電力量情報を伝送する。
【００２７】
個別エネルギー源が地熱又は海水熱２２０である場合、地熱（海水熱）設備はヒートポンプ及び電力量計を含む。図１において、クライアント部１１０（図２のＵ−ＲＴＵ（ＯＰＣ  ＵＡクライアント））は、ヒートポンプ及び電力量計からデータを受信する。また、クライアント部１１０は、ヒートポンプに地熱（海水熱）設備に関する制御情報を伝送する。また、図１において、サーバ部１２０（図２のＯＰＣ−ＵＡサーバ）は、クライアント部１１０に地熱（海水熱）設備に関する制御情報を伝送する。クライアント部１１０は、サーバ部１２０に温度情報、流量情報、及び電力量情報を伝送する。
【００２８】
個別エネルギー源が水素又は燃料電池２３０である場合、水素（燃料電池）設備はインバータを含む。図１において、クライアント部１１０（図２のＵ−ＲＴＵ（ＯＰＣ  ＵＡクライアント））は、インバータからデータを受信する。また、クライアント部１１０は、インバータに水素（燃料電池）設備に関する制御情報を伝送する。また、図１において、サーバ部１２０（図２のＯＰＣ−ＵＡサーバ）は、クライアント部１１０に水素（燃料電池）設備に関する制御情報を伝送する。クライアント部１１０は、サーバ部１２０に発電量情報、熱量情報、及び生産時間情報を伝送する。
【００２９】
個別エネルギー源が風力又は水力２４０である場合、風力（水力）設備はインバータを含む。図１において、クライアント部１１０（図２のＵ−ＲＴＵ（ＯＰＣ  ＵＡクライアント））は、インバータからデータを受信する。また、クライアント部１１０は、インバータに風力（水力）設備に関する制御情報を伝送する。また、図１において、サーバ部１２０（図２のＯＰＣ−ＵＡサーバ）は、クライアント部１１０に風力（水力）設備に関する制御情報を伝送する。クライアント部１１０は、サーバ部１２０に発電量情報及び生産時間情報を伝送する。
【００３０】
図３は、個別エネルギー源を統合的にモニタリングするための統合フォーマットの一実施例を説明するための図である。
【００３１】
図３を参照すると、エネルギー設備３００は、図１で述べた設備部１００（新再生エネルギー源の設備）に対応する。個別ＲＴＵ３１０は、図１で述べたクライアント部１１０又はクライアント部１１０に含まれる個別クライアントモジュールに対応する。サーバ３２０は、図１で述べたサーバ部１２０に対応する。
【００３２】
エネルギー設備３００は、個別エネルギー源に対する設備情報又はエネルギーを生産する個別会社の設備に関する情報を含む。個別ＲＴＵ３１０は、個別エネルギー源別に又は個別エネルギー会社別に構築される。詳しくは、個別エネルギー源別に個別ＲＴＵ３１０が構築される場合、個別ＲＴＵ３１０は、太陽熱、太陽光、地熱、風力などのそれぞれのエネルギー源の設備に構築され、データを受信して標準化する。また、個別エネルギー会社別に個別ＲＴＵ３１０が構築される場合、個別ＲＴＵ３１０は、Ａ社、Ｂ社、Ｃ社などのそれぞれの会社の設備に構築され、データを受信して標準化する。
【００３３】
個別ＲＴＵ３１０は、エネルギー設備３００からデータを受信して標準化する。個別ＲＴＵ３１０がエネルギー設備３００から受信するデータには予め設定されたモニタリング情報３３０が含まれる。標準化とは、統合モニタリングのために受信したデータを、予め設定された統合標準フォーマットに予め設定された規則に従ってデータを整列することを意味する。予め設定された規則は、後述する第１基準、第２基準、及び第３基準を含む。
【００３４】
予め設定された統合標準フォーマット３５０は、一つ以上のフィールド値情報を含む。フィールド値情報の具体的な例としては、アドレス（ａｄｄｒｅｓｓ）情報、ＩＤ情報、及び数値情報（ｖａｌｕｅ）を含む。フィールド値情報は、設計者の意図に応じて変更可能なため、上述したものに限らない。
【００３５】
統合標準フォーマット３５０に含まれるアドレス情報は、個別エネルギー源の種類に対応する第１基準でそれぞれ分離される。また、第１基準でそれぞれ分離されたアドレス情報は、共通モニタリング要素情報３４０に対応する第２基準、及び個別エネルギー会社に対する予め設定された特定モニタリング要素情報３６０に対応する第３基準（Ａ社特定のモニタリング要素に関する情報、Ｂ社特定のモニタリング要素に関する情報、またその他の会社特定のモニタリング要素に関する情報）で分離される。
【００３６】
個別ＲＴＵ３１０は、エネルギー設備３００から予め設定されたモニタリング情報３３０に関するデータを受信する。また、個別ＲＴＵ３１０は、受信したデータを統合標準フォーマットで標準化する。また、個別ＲＴＵ３１０は、エネルギー設備３００から収集しようとするモニタリング情報をサーバ３２０から受信する。ユーザは、図１で述べたモニタリングプログラムを介してモニタリングしようとする情報に関する要請信号を、サーバ３２０を介して個別ＲＴＵ３１０に伝送する。収集しようとするモニタリング情報は、下記表１の通りである。
【００３７】
【表１】
2018196321.tif 000003
【００３８】
個別ＲＴＵ３１０は、受信したデータを統合標準フォーマットで標準化する場合、モニタリング要素が多い特定個別会社から優先順位で標準化する。また、個別ＲＴＵ３１０は、モニタリング要素が多い特定個別会社に関するモニタリング情報を含む統合標準フォーマット情報を優先伝送する。
【００３９】
個別ＲＴＵ３１０は、受信したデータを統合標準フォーマットで標準化する場合、モニタリング要素が多い特定エネルギー源（太陽熱、太陽光、地熱）を優先順位で標準化する。また、個別ＲＴＵ３１０は、モニタリング要素が多い特定エネルギー源に関するモニタリング情報に関する統合標準フォーマット情報を優先伝送する。また、個別ＲＴＵ３１０は、エネルギー設備３００から予め設定されたモニタリング情報３３０に関して受信したデータを選択的に統合標準フォーマットで標準化する。
【００４０】
図４は、結合発生時におけるエネルギー統合モニタリングシステムの動作の一実施例を説明するための図である。
【００４１】
図４を参照すると、エネルギー統合モニタリングシステムは診断部４２０を更に含む。管理者用モニタリングシステム４００は、個別サイト（Ａ、Ｂ、Ｃ、Ｄ）をモニタリングする。個別サイト（Ａ、Ｂ、Ｃ、Ｄ）は、個別エネルギー源に関する設備又は個別エネルギー会社の設備に対応する。また、個別サイトは、図１で述べた設備部１００、又は図３で述べたエネルギー設備３００に対応する。
【００４２】
個別サイトで故障信号が発生した場合、管理者用モニタリングシステム４００は、故障情報（サイト情報、故障情報、故障周期）を診断部４２０に伝送する。診断部４２０は、故障情報と従来の収集された情報とを比較分析して故障か否かを判断する。また、診断部４２０は、カスタマーサービスマニュアルの構成に応じて故障情報及びマニュアル情報をカスタマーサービス会社のサーバ４３０に伝送する。それに応じて、カスタマーサービス会社はカスタマーサービスの可能な時間情報を診断部４２０に伝送する。
【００４３】
診断部４２０は、サーバに故障情報を含むモニタリング情報を貯蔵する。また、診断部４２０は、ユーザ用モニタリングシステム４１０にカスタマーサービスの情報（簡単な故障情報、カスタマーサービスの訪問時間、及び担当者の連絡先）を伝送する。
【００４４】
図５は、一実施形態によるエネルギー統合モニタリング装置を説明するための図である。
【００４５】
図５を参照すると、統合モニタリング装置は、収集モジュール５００、標準化モジュール５１０、統合モジュール５２０、及び管理モジュール５３０を含む。統合モニタリング装置は、制御モジュール（図示せず）を更に含む。収集モジュール５００、標準化モジュール５１０、統合モジュール５２０、管理モジュール５３０、及び制御モジュールは、それぞれハードウェアプロセッサによって具現されるか、又は一つの統合プロセッサとして具現される。
【００４６】
収集モジュール５００、標準化モジュール５１０、及び統合モジュール５２０は、図１で述べたクライアント部１１０又はサーバ部１２０（ＯＰＣ−ＵＡサーバ）の一部に対応する。管理モジュール５３０は、図１で述べたサーバ部１２０（ＯＰＣ−ＵＡサーバ）の一部又は応用プログラム部１３０に対応する。
【００４７】
収集モジュール５００は、一つ以上のエネルギー設備からモニタリング要素要請信号に対応するモニタリング情報を収集する。エネルギー設備は、図１で述べた設備部１００に対応する。また、エネルギー設備は新再生エネルギーに関する関連設備であり、新再生エネルギーは、太陽光、太陽熱、地熱、及び風力のうちの少なくとも一つを含む。収集モジュール５００は、ＯＰＣ  ＵＡ基盤である。
【００４８】
収集モジュールは、ユーザＩＤ（ｉｄｅｎｔｉｆｉｃａｔｉｏｎ）及び測定時間を基準に収集したデータに対して日単位にチェックし、下位システム（エネルギー設備）に特定時点に対するデータの再収集を要請する。また、収集モジュールは、再収集したデータに第１識別子の表示を設定する。収集モジュールは、再収集できないデータに対して予め設定された時点で自動的に補正処理を行い、補正されたデータであることを識別できるように第２識別子の表示を設定する。
【００４９】
収集モジュールは、データ補正の場合、補正するデータの前後を基準に平均値で処理するか、又は全体システム上の平均値を基準に処理する。
【００５０】
標準化モジュール５１０は、受信したモニタリング情報を予め設定された基準に従って標準化する。また、標準化モジュール５１０は、受信したモニタリング情報の個数が予め設定された基準を超過した場合、予め受信したモニタリング情報を優先順位で標準化する。また、標準化モジュール５１０は、予め設定された基準に従って受信したモニタリング情報を共通モニタリング要素情報と特定モニタリング要素情報とにクラスタリングして標準化する。
【００５１】
制御モジュールは、予め設定された基準を設定する。詳しくは、予め設定された基準は、モニタリングする情報の個数、及び共通モニタリング情報と特定モニタリング情報との間の分類基準を含む。また、制御モジュールは、モニタリング情報間の優先順位を決定する。詳しくは、制御モジュールは、個別モニタリング情報間の優先順位を決定する。また、制御モジュールは、共通モニタリング要素として設定されたモニタリング情報を特定モニタリング情報で設定されたモニタリング情報により優先順位で決定する。また、制御モジュールは、収集モジュールがデータを収集しない時点、又はエネルギー設備が作動しない時点で標準化モジュール５１０又は統合モジュール５２０をリセットする。制御モジュールは、リセットが行われた場合、リセットされたモジュールに識別子を表示する。
【００５２】
統合モジュール５２０は、標準化されたモニタリング情報を予め設定されたフォーマットに従って統合する。統合モジュール５２０は、優先順位として標準化されたモニタリング情報を優先順位で統合し、後述する管理モジュール５３０に伝送する。予め設定されたフォーマットは一つ以上のフィールド値情報を含み、フィールド値情報は、個別エネルギー源の種類に応じた第１基準、共通モニタリング要素情報に対応する第２基準、及び特定モニタリング要素情報に対応する第３基準で分離される。
【００５３】
管理モジュール５３０は、統合されたモニタリング情報を受信してモニタリングする。また、管理モジュール５３０は、モニタリング要素要請信号を収集モジュール５００に伝送する。
【００５４】
図６は、一実施形態によるエネルギー統合モニタリング方法を説明するための図である。
【００５５】
図６を参照すると、エネルギー統合モニタリング方法は、モニタリング要素要請信号を伝送するステップ（図示せず）と、モニタリング要素要請信号に対応して一つ以上のエネルギー設備からモニタリング情報を受信するステップＳ６１０と、受信したモニタリング情報を予め設定された基準に従って標準化するステップＳ６２０と、標準化されたモニタリング情報を予め設定されたフォーマットに従って統合するステップＳ６３０と、統合されたモニタリング情報を受信してモニタリングするステップＳ６４０と、を含む。
【００５６】
管理モジュールは、モニタリング要素要請信号を伝送するステップ、及び統合されたモニタリング情報を受信してモニタリングするステップを実行する。それに関する具体的な説明は、図１〜図５で述べた通りである。収集モジュールがモニタリング要素信号に対応して、一つ以上のエネルギー設備からモニタリング情報を受信するステップを実行する。それに関する具体的な説明は、図１〜図５で述べた通りである。標準化モジュールは、受信したモニタリング情報を予め設定された基準に従って標準化するステップを実行する。それに関する具体的な説明は、図１〜図５で述べた通りである。統合モジュールは、標準化されたモニタリング情報を予め設定されたフォーマットに従って統合するステップを実行する。それに関する具体的な説明は、図１〜図５で述べた通りである。
【００５７】
図７は、制御モジュールの第１動作を説明するための図である。
【００５８】
図７において、エネルギー設備（７００、７３０）は、図３で述べたエネルギー設備３００に対応する。また、図７において、ミドルウェア（７１０、７４０）は、図３で述べた個別ＲＴＵ３１０に対応する。また、図７において、サーバ（７２０、７５０）は、図３で述べたサーバ３２０に対応する。
【００５９】
制御モジュールは、エネルギー設備（７００、７３０）におけるＯＳ（Ｏｐｅｒａｔｉｏｎ  Ｓｙｓｔｅｍ）のインストールの可否を判別する。制御モジュールがエネルギー設備（７００、７３０）にＯＳがインストールされていないと判断した場合、制御モジュールは個別ＲＴＵを含むミドルウェア（７１０、７４０）を活用し、エネルギー設備（７００、７３０）からデータを収集する（第１動作）。
【００６０】
また、制御モジュールはミドルウェア（７１０、７４０）とサーバ（７２０、７５０）との構成を制御する。サーバ７２０が単一ＯＰＣ−ＵＡサーバで構成される場合、制御モジュールはミドルウェア７１０をエネルギー設備７００に含まれる個別エネルギー設備に対応する個別ＲＴＵで構成する。また、制御モジュールは、個別ＲＴＵを個別ＯＰＣ−ＵＡサーバと個別ＯＰＣ−ＵＡクライアントとで構成する。また、エネルギー設備端７００に含まれる個別エネルギー設備は、個別通信モジュールを介して個別ＩＯＰＣ−ＵＡサーバにそれぞれデータを伝送する。
【００６１】
サーバ７５０が個別ＯＰＣ−ＵＡサーバで構成される場合、制御モジュールはミドルウェア７４０を単一ＲＴＵで構成する。また、制御モジュールは、ＲＴＵをＯＰＣ−ＵＡサーバで構成する。ミドルウェア７４０が単一ＲＴＵで構成される場合、制御モジュールは個別ＯＰＣ−ＵＡクライアントをサーバ７５０に含まれる個別ＯＰＣ−ＵＡサーバにそれぞれインストールする。
【００６２】
図８は、制御モジュールの第２動作を説明するための図である。
【００６３】
図８において、エネルギー設備（８００、８２０）は、図３で述べたエネルギー設備３００に対応する。また、図８において、サーバ（８１０、８３０）は、図３で述べたサーバ３２０に対応する。
【００６４】
制御モジュールは、上述したように、エネルギー設備（８００、８２０）にＯＳがインストールされているか否かを判別する。制御モジュールがエネルギー設備（８００、８２０）にＯＳがインストールされていると判断した場合、制御モジュールは図７で述べたミドルウェア（７１０、７４０）を非活性化し、エネルギー設備（８００、８２０）から直接データを収集する（第２動作）。
【００６５】
また、制御モジュールは、エネルギー設備（８００、８２０）に含まれる個別エネルギー設備に連結された通信モジュールの構成を制御する。サーバ８１０が単一ＯＰＣ−ＵＡサーバで構成される場合、制御モジュールはエネルギー設備８００に含まれる通信モジュールのそれぞれに個別ＯＰＣ−ＵＡクライアントをインストールする。
【００６６】
エネルギー設備８００に含まれる個別通信モジュールは、ＯＰＣ−ＵＡクライアントＡＰＩを呼び出し、収集したデータをＯＰＣ−ＵＡフォーマットで変換して、単一ＯＰＣ−ＵＡサーバ８１０に伝送する。
【００６７】
サーバ８３０が個別ＯＰＣ−ＵＡサーバで構成される場合、制御モジュールはエネルギー設備８２０に含まれる通信モジュールにＯＰＣ−ＵＡサーバを構成する。ＯＰＣ−ＵＡサーバを含む通信モジュールは、データを収集してサーバ８３０に含まれる個別サーバに伝送する。
【００６８】
以上、本発明の実施形態について図面を参照しながら詳細に説明したが、本発明は、上述の実施形態に限定されるものではなく、本発明の技術的範囲から逸脱しない範囲内で多様に変更実施することが可能である。
【符号の説明】
【００６９】
１００    設備部
１１０    クライアント部
１２０    サーバ部
１３０    応用プログラム部
２００    太陽光
２１０    太陽熱
２２０    地熱、海水熱
２３０    水素、燃料電池
２４０    風力、水力
３００、７００、７３０、８００、８２０    エネルギー設備
３１０    個別ＲＴＵ
３２０、７２０、７５０、８１０、８３０    サーバ
３３０    モニタリング情報
３４０    共通モニタリング要素情報
３５０    統合標準フォーマット
３６０    特定モニタリング要素情報
４００    管理者用モニタリングシステム
４１０    ユーザ用モニタリングシステム
４２０    診断部
４３０    カスタマーサービス会社のサーバ
５００    収集モジュール
５１０    標準化モジュール
５２０    統合モジュール
５３０    管理モジュール
７１０、７４０    ミドルウェア
【図１】
2018196321.tif 000004
【図２】
2018196321.tif 000005
【図３】
2018196321.tif 000006
【図４】
2018196321.tif 000007
【図５】
2018196321.tif 000008
【図６】
2018196321.tif 000009
【図７】
2018196321.tif 000010
【図８】
2018196321.tif 000011